(57)【要約】【課題】複数の方路を収容する光クロスコネクト装置へ入力される光信号の信号レベルにばらつきがあっても、光クロスコネクト装置から出力される信号レベルを適切に制御すること。【解決手段】４方路ＯＸＣ装置１０２は、受信した光信号が通過する接続用インタフェースからＷＳＳ４２０までの装置内経路上に位置し、通過する光信号の信号レベルを測定するＯＣＭ４３０と、測定された受信方路ごとの信号レベルを格納するカード制御部４４０と、受信方路ごとの信号レベルを、所定の信号レベルの目標値へと補正するための信号レベル補正値を計算するデバイス制御部４５０と、を有するＯＸＣラインカード４００を同一筐体内に少なくとも方路数分を収容する。【選択図】図６
2014007564.tif 000002
【特許請求の範囲】
【請求項１】
外部装置からの光信号を受信するためのファイバ伝送路が接続される受信方路ごとの接続用インタフェースと、
複数の受信方路からそれぞれ受信する光信号の入力をもとに、１つの送信方路から出力する光信号を選択するＷＳＳ（Wavelength Selective Switch）と、
受信した光信号が通過する前記接続用インタフェースから前記ＷＳＳまでの装置内経路上に位置し、通過する光信号の信号レベルを測定するＯＣＭ（Optical Channel Monitor）と、
前記ＯＣＭにより測定された受信方路ごとの信号レベルを格納するカード制御部と、
前記カード制御部から通知される受信方路ごとの信号レベルを、所定の信号レベルの目標値へと補正するための信号レベル補正値を計算するとともに、その計算した信号レベル補正値を前記ＷＳＳに設定することで、前記ＷＳＳを通過する光信号の信号レベルを前記信号レベル補正値分だけ増幅又は減衰させるデバイス制御部と、を有するＯＸＣラインカードを同一筐体内に少なくとも方路数分を収容することを特徴とする
光クロスコネクト装置。
【請求項２】
前記外部装置からの光信号を受信する受信方路側の前記ＯＸＣラインカード内の前記カード制御部は、外部装置へ光信号を送信する送信方路側の前記ＯＸＣラインカード内の前記デバイス制御部に対して、受信方路側の前記ＯＸＣラインカード内の前記ＯＣＭで測定された信号レベルを通知することを特徴とする
請求項１に記載の光クロスコネクト装置。
【請求項３】
送信方路側の前記ＯＸＣラインカード内の前記デバイス制御部は、通知された信号レベルのうち、送信方路側の前記ＯＸＣラインカード内の前記ＷＳＳで出力する光信号の信号レベルを選択して、その選択した信号レベル補正値を計算することを特徴とする
請求項２に記載の光クロスコネクト装置。
【請求項４】
前記光クロスコネクト装置は、複数枚の前記ＯＸＣラインカードとは別にノード監視制御部を有しており、
前記ノード監視制御部は、各前記ＯＸＣラインカードの前記カード制御部から通知される受信方路ごとの信号レベルを受信すると、前記ＷＳＳで出力する送信方路ごとに信号レベルを集約し、その集約した信号レベルを送信方路ごとの前記ＯＸＣラインカード内の前記デバイス制御部へ通知することを特徴とする
請求項１に記載の光クロスコネクト装置。
【請求項５】
外部装置からの光信号を受信するためのファイバ伝送路が接続される受信方路ごとの接続用インタフェースと、
複数の受信方路からそれぞれ受信する光信号の入力をもとに、１つの送信方路から出力する光信号を選択するＷＳＳ（Wavelength Selective Switch）と、
受信した光信号が通過する前記接続用インタフェースから前記ＷＳＳまでの装置内経路上に位置し、通過する光信号の信号レベルを測定するＯＣＭ（Optical Channel Monitor）と、
前記ＯＣＭにより測定された受信方路ごとの信号レベルを格納するカード制御部と、
前記カード制御部から通知される受信方路ごとの信号レベルを、所定の信号レベルの目標値へと補正するための信号レベル補正値を計算するデバイス制御部と、を有するＯＸＣラインカードが同一筐体内に少なくとも方路数分を収容されている光クロスコネクト装置において、
前記デバイス制御部が計算した信号レベル補正値を前記ＷＳＳに設定することで、前記ＷＳＳを通過する光信号の信号レベルを前記信号レベル補正値分だけ増幅又は減衰させることを特徴とする
光レベル制御方法。
【発明の詳細な説明】
【技術分野】
【０００１】
本発明は、光クロスコネクト装置、および、光レベル制御方法に関する。
【背景技術】
【０００２】
インターネットに代表されるデータトラフィックの急増に伴う通信ネットワークの伝送容量の大容量化に対応するため、１本の光ファイバに多数の波長を束ねて伝送する波長多重伝送装置が実用化されている。今後の伝送容量需要のさらなる増加や、ネットワークサービスの多様化などの要求に低コストに対応していくため、途中ノード内で主信号の電気・光変換をせずに光信号のままノード間を伝送させる光伝送システムが注目されている。
【０００３】
特許文献１には、光伝送システムを構成する伝送装置として、波長多重された光信号の分岐・挿入を行ってトランスポンダなどのクライアント側装置と接続する光分岐挿入装置が記載されている。
特許文献２には、光伝送システムを構成する伝送装置として、複数の伝送路が接続された中で所望の経路への切替を行う光クロスコネクト（OXC: Optical Cross Connect）装置が記載されている。
【先行技術文献】
【特許文献】
【０００４】
【特許文献１】特開２００８−２８８７６８号公報
【特許文献２】特開２０１１−１９１６５号公報
【発明の概要】
【発明が解決しようとする課題】
【０００５】
光クロスコネクト装置には、複数の伝送路（方路）が接続されている。同じ光クロスコネクト装置に接続される各方路の光信号の信号レベルは、他方路の信号レベルと揃っていないことも多い。そのため、複数種別の光信号が１台の光クロスコネクト装置の筐体内で合流することにより、それらの光信号間で漏話が発生する。光信号間の漏話とは、例えば、互いに近い周波数間の２つの信号のうち、強い信号Ａが弱い信号Ｂを打ち消してしまう事象である。
【０００６】
よって、漏話の発生した信号を測定しても、低精度の測定データしか得られないので、光クロスコネクト装置から出力される光信号の信号レベルを適切な信号レベルに変更（増幅、減衰）できない。
例えば、特許文献２では、光信号間の漏話が発生する要因である「ＷＳＳ１０５」の後段に、信号レベルの測定手段である「ＭＯＮ１１３」が配置されているので、ＭＯＮ１１３は、低精度の測定データしか得られない。
【０００７】
そこで、本発明は、前記した問題を解決し、複数の方路を収容する光クロスコネクト装置へ入力される光信号の信号レベルにばらつきがあっても、光クロスコネクト装置から出力される信号レベルを適切に制御することを、主な目的とする。
【課題を解決するための手段】
【０００８】
前記課題を解決するために、本発明の光クロスコネクト装置は、
外部装置からの光信号を受信するためのファイバ伝送路が接続される受信方路ごとの接続用インタフェースと、
複数の受信方路からそれぞれ受信する光信号の入力をもとに、１つの送信方路から出力する光信号を選択するＷＳＳ（Wavelength Selective Switch）と、
受信した光信号が通過する前記接続用インタフェースから前記ＷＳＳまでの装置内経路上に位置し、通過する光信号の信号レベルを測定するＯＣＭ（Optical Channel Monitor）と、
前記ＯＣＭにより測定された受信方路ごとの信号レベルを格納するカード制御部と、
前記カード制御部から通知される受信方路ごとの信号レベルを、所定の信号レベルの目標値へと補正するための信号レベル補正値を計算するとともに、その計算した信号レベル補正値を前記ＷＳＳに設定することで、前記ＷＳＳを通過する光信号の信号レベルを前記信号レベル補正値分だけ増幅又は減衰させるデバイス制御部と、を有するＯＸＣラインカードを同一筐体内に少なくとも方路数分を収容することを特徴とする。
その他の手段は、後記する。
【発明の効果】
【０００９】
本発明によれば、複数の方路を収容する光クロスコネクト装置へ入力される光信号の信号レベルにばらつきがあっても、光クロスコネクト装置から出力される信号レベルを適切に制御することができる。
【図面の簡単な説明】
【００１０】
【図１】本発明の一実施形態に関する光伝送システムを示す構成図である。
【図２】本発明の一実施形態に関する４方路ＯＸＣ装置を示す構成図である。
【図３】本発明の一実施形態に関する下流側の測定値を用いた信号レベル調整処理を示す説明図である。
【図４】本発明の一実施形態に関する下流側の測定値を用いた信号レベル調整処理の問題点を示す説明図である。
【図５】本発明の一実施形態に関するＷＳＳ（Wavelength Selective Switch）を示す構成図である。
【図６】本発明の一実施形態に関する分散形態の光伝送システムを示す構成図である。
【図７】本発明の一実施形態に関する分散形態において、上流側の測定値を用いた信号レベル調整処理を示すフローチャートである。
【図８】本発明の一実施形態に関する図７の信号レベル調整処理に用いられるデータ構造を示す構成図である。
【図９】本発明の一実施形態に関する図７の信号レベル調整処理に用いられるデータ構造を示す構成図である。
【図１０】本発明の一実施形態に関する集約形態の光伝送システムを示す構成図である。
【図１１】本発明の一実施形態に関する集約形態において、上流側の測定値を用いた信号レベル調整処理を示すフローチャートである。
【図１２】本発明の一実施形態に関する図１１の信号レベル調整処理に用いられるデータ構造を示す構成図である。
【発明を実施するための形態】
【００１１】
以下、本発明の一実施形態を、図面を参照して詳細に説明する。
【００１２】
図１は、光伝送システムを示す構成図である。光伝送システムは、光伝送装置であるノードＡ〜ノードＧが、それぞれファイバ伝送路１００で接続されて構成される。
光伝送システムのうちのノードＣは、複数の伝送路が接続された中で所望の経路への切替を行う４方路ＯＸＣ装置１０２である。
光伝送システムのうちのノードＣ以外の各ノードは、波長多重された光信号の分岐・挿入を行ってトランスポンダなどのクライアント側装置と接続するＲＯＡＤＭ（Reconfigurable Optical Add-Drop Multiplexer）装置１０１である。
各ノードは、ＤＣＮ（Data Communication Network）１０３で接続されるＯＳＳ（Operation Support System）１０４により、集中管理されている。
【００１３】
図１の光伝送システムは、各ノードが２つのリングを形成するマルチリング型ネットワークを構成している。第１のリングは、「ノードＡ→ノードＢ→ノードＣ→ノードＦ」により構成される。第２のリングは、「ノードＣ→ノードＧ→ノードＥ→ノードＤ」により構成される。よって、ノードＣは、２つのリングを接続する中継点に位置する。
【００１４】
以下、各ノードについて、そのノードにファイバ伝送路１００を接続するための接続用インタフェースは、方路（ポート）ごとに存在する。ＲＯＡＤＭ装置１０１（ノードＡ，Ｂ，Ｄ〜Ｇ）は、１装置あたり２つの方路Ａ，Ｂに接続され、４方路ＯＸＣ装置１０２（ノードＣ）は、１装置あたり４方路Ａ〜Ｄに接続される。
【００１５】
図２（ａ）は、４方路ＯＸＣ装置１０２を示す構成図である。４方路ＯＸＣ装置１０２は、方路ごとのＯＸＣラインカード４００が、装置内配線３３０で接続されている。ＯＸＣラインカード４００は、光カプラ４１０およびＷＳＳ４２０が具備されている。
上流側（受信方路側）のＯＸＣラインカード４００は、ファイバ伝送路１００から入力された信号光を、光カプラ４１０により分岐して、装置内配線３３０を介して下流側のＯＸＣラインカード４００へと振り分ける。
下流側（送信方路側）のＯＸＣラインカード４００は、上流側から振り分けられた信号光をＷＳＳ４２０で集約し、ＷＳＳ４２０のスイッチ切替機能により波長単位でのファイバ伝送路１００への転送処理を行う。ＷＳＳ４２０は、光信号を所望の方路へと切り替える動作を波長単位で実施する波長選択スイッチである。
つまり、１つの方路に対して、１枚のＯＸＣラインカード４００が収容され、その１枚のＯＸＣラインカード４００内には、受信用の接続用インタフェースと、送信用の接続用インタフェースとが備えられている。
【００１６】
図２（ｂ）は、４方路ＯＸＣ装置１０２内の信号光の光レベルを示すパラメータを説明する図である。
光レベル「P_mon1」は、上流側のＯＸＣラインカード４００が隣接ノードから受信した時の信号光の光レベルを示す。
光レベル「P_in_rx」は、P_mon1に対して、光カプラ４１０を通過するときの損失値「IL（coupler）」を減じたものである。
光レベル「P_in_wss」は、下流側のＯＸＣラインカード４００が上流側のＯＸＣラインカード４００から受信した時の信号光の光レベルを示す。装置内配線３３０を通過するときの損失値は微少であるため、P_in_rx≒P_in_wssである。
光レベル「P_mon2」は、P_in_wssに対して、ＷＳＳ４２０を通過するときの損失値「IL（fixed）またはIL（ALC）」を減じたものである。なお、IL（fixed）は、現在の光レベル値にかかわらず設定される損失値の固定値である。一方、IL（ALC）は、現在の光レベル値（P_mon1またはP_mon2）をもとにＡＬＣ(Automatic Level Control)制御のための計算がされた損失値である。ＡＬＣ制御とは、ＯＸＣ装置から出力される信号光レベルを、波長チャネルそれぞれについて、一定値に制御するものである。
また、後記する光レベル「ALC_target」は、ＡＬＣ制御におけるP_mon2の目標値である。
【００１７】
以下、ＡＬＣ制御の計算に使用する現在の光レベル値について、ＷＳＳ４２０の後段で測定されるP_mon2を用いる形態とその問題点について、図４，図５で説明し、ＷＳＳ４２０の前段で測定されるP_mon1を用いる形態について、図６以降で説明する。
【００１８】
図３は、下流側の測定値を用いた信号レベル調整処理を示す説明図である。図３（ａ）に示す各時刻ｔ１〜ｔ４での光レベルを参照しつつ、図３（ｂ）に示す信号レベル調整処理を以下で説明する。図３（ｂ）のフローチャートは、各下流側のＯＸＣラインカード４００において、それぞれ実行される。
まず、フローチャート実行前の初期状態では、ＷＳＳ４２０は、すべてのチャネルに対して、スイッチの接続先はどの方路にも接続されていないＯＦＦ状態になっているので、光信号は出力されない。
Ｓ１０１において、各ＯＸＣラインカード４００は、ＷＳＳ４２０の損失値をIL（fixed）に設定して、ＷＳＳ４２０のスイッチ切替動作を実施する。スイッチ切替動作により、下流側のＯＸＣラインカード４００は、上流側のＯＸＣラインカード４００から受信した光信号を、別装置（例えば、方路Ｄの接続先のノード）へと通過させる。
Ｓ１０２において、各ＯＸＣラインカード４００は、ＯＣＭ（Optical Channel Monitor）４３０（詳細は、図６参照）で信号レベル「P_mon2」を計測する。例えば、時刻ｔ１のP_in_wssからIL（fixed）分だけ減衰させた時刻ｔ２のP_mon2が計測される。
Ｓ１０３において、各ＯＸＣラインカード４００は、信号レベル「P_mon2」を目標値「ALC_target」にするための新たな損失値「IL（ALC）」を計算する。つまり、ALC_target＝P_mon2＋IL（fixed）-IL（ALC）なので、IL（ALC）＝-ALC_target+P_mon2+IL（fixed）である。
Ｓ１０４において、各ＯＸＣラインカード４００は、ＷＳＳ４２０の損失値を、Ｓ１０１で設定されたIL（fixed）からＳ１０３で計算されたIL（ALC）へと変更する。これにより、時刻ｔ４のP_mon2＝P_in_wss-IL（ALC）となり、P_mon2≒ALC_targetが実現される。
【００１９】
例えば、以下のように計算される。
時刻ｔ１のP_in_wss  ＝  -10[dBm]、IL（fixed）＝15[dB]、ALC_target＝-20[dBm]
時刻ｔ２のP_mon2    ＝  -25[dBm](= -10-15)
時刻ｔ３のP_in_wss  ＝  -10[dBm]、IL（ALC）＝10[dB](=-20+25-15)
時刻ｔ４のP_mon2    ＝  -20[dBm](=-10-10)＝ALC_target
【００２０】
図４は、下流側の測定値を用いた信号レベル調整処理の問題点を示す説明図である。
【００２１】
図４（ａ）は、P_mon2の信号レベルが目標値ALC_targetだけでなく、受信可能レベルを超えて過大状態になってしまった例を示す。図３のＳ１０１で設定されたＷＳＳ４２０の固定値IL（fixed）は、現在のP_mon2にかかわらず設定される固定値であるため、過大なP_in_wssをALC_targetにまで減衰させるには、不足である。
過大なP_mon2の光信号をファイバ伝送路１００へと出力すると、波長パスの終端点のトランスポンダの受信可能レベル範囲を逸脱し、トランスポンダの破壊につながる恐れがある他、ファイバ中の四光波混合や相互位相変調の非線形光学効果を誘発して、増設動作とは無関係な開通済み波長パスの伝送特性に影響を及ぼす危険性がある。
一方、過大信号対策として、固定値IL（fixed）を単に大きくしてマージンを取っただけでは、信号レベルが小さいP_in_wssを減衰させてしまい、P_mon2として出力されなくなってしまうという副作用がある。
【００２２】
図４（ｂ）は、同じＷＳＳ４２０に入力される２つの信号（チャネルｃｈ１のP_in_wssと、チャネルｃｈ２のP_in_wss）とを波長チャネルごとに示したグラフである。チャネルｃｈ１のP_in_wssがチャネルｃｈ２のP_in_wssに対して光レベル偏差が大きくなってしまう場合がある。
ＷＳＳ４２０に入力される信号は、例えば、途中伝送路における中継光増幅器の利得や光学部品損失の個体間・波長間不均一性などの理由から波長単位、ポート単位でのばらつきが生じることもある。
まず、ｃｈ１の波長パスは開通済みであるため、IL（ALC）によるＡＬＣ制御により制御目標値へと調整されていて、信号レベルは大きい。一方、ｃｈ２の波長パスは増設動作中であるため、IL（fixed）による固定制御により、信号レベルは小さい。
【００２３】
このように、隣接するｃｈ１，ｃｈ２間でレベル偏差が生じてしまうと、それらの波長のうち低レベル側波長のモニタ値が、正常に取得できなくなってしまうことが一般的に知られている。よって、波長増設動作において、増設波長であるチャネル２の波長チャネルごと光レベル（P_mon2）が正常に取得できなくなり、ＡＬＣ制御自体も正常に実行できなくなってしまう。
簡易的にP_in_wssの入力レベル範囲を制限する場合、光学部品などの部品選別が必要となり、装置全体のコスト上昇につながる。
【００２４】
図５は、ＷＳＳ４２０を示す構成図である。ＷＳＳ４２０は、パス開通動作により、入力ポートから入力される主信号を、出力ポートへと出力させる。ＷＳＳ４２０は、ＭＥＭＳ（Micro Electro Mechanical System）やＬＣＯＳ（Liquid Crystal On Silicon）などの技術を利用した小型集積化が進んでおり、装置の省スペース化に寄与している。
【００２５】
ＷＳＳ４２０は、入力側（上流側）から順に、波長分離部４２５、光スイッチ部４２６、信号レベル調節部４２７、および、波長多重部４２８がそれぞれ接続されて構成される。
波長分離部４２５は、複数の波長（チャネル）が多重化された入力信号を、波長ごとの信号へと分離する。
光スイッチ部４２６は、波長ごとの信号が波長分離部４２５から入力されると、それらの信号ごとに出力ポートへと出力させるか否かをスイッチの接続先を切り替えることで制御する。
信号レベル調節部４２７は、出力ポートへと出力させる信号に対して、減衰量の設定値（IL（fixed）、IL（ALC））分の可変光減衰を実施するＶＯＡ（Variable Optical Attenuator）を備え、入力ポートの光レベルP_in_wssを出力ポートの光レベルP_mon2へと調節する。また、必要に応じＥＤＦＡ（Erbium-doped Fiber Amplifier）などの光増幅器を備え、光学損失を補償してもよい。
【００２６】
つまり、信号レベル調節部４２７は、ＷＳＳ４２０の後段で測定されるP_mon2を、目標値ALC_targetへと近づけるように、減衰量の設定値IL（ALC）をフィードバック制御する。これにより、出力光レベルが波長単位を調整することで、中継伝送中の光ＳＮ比劣化が軽減し、長距離伝送を可能とさせる。
波長多重部４２８は、複数の信号レベル調節部４２７でそれぞれ出力される信号を多重化して出力ポートへと出力する。
【００２７】
図６は、分散形態の光伝送システムを示す構成図である。
分散形態とは、個々のＯＸＣラインカード４００から別のＯＸＣラインカード４００へと、光レベル情報を直接やりとりする形態である。
一方、図１０から後記する集約形態は、ＯＸＣラインカード４００間の光レベル情報のやりとりが、ＯＸＣラインカード４００とは独立した構成要素を中継して行われる形態である。
【００２８】
４方路ＯＸＣ装置１０２は、方路ごとのＯＸＣラインカード４００に加え、ノード監視制御部２００を有している。ノード監視制御部２００は、ＤＣＮ１０３やカード間通信線３１０を介した通信を行う通信線インタフェース３２０とＣＰＵ２１０とから構成される。
ＣＰＵ２１０内部は、ＯＳＳ１０４との情報のやり取りを行うＯＳＳ通信部２１１と各ラインカードへの動作指示やパス情報の送信を行ったり、ＯＸＣラインカード４００から通知される動作完了通知を集約したりするカード個別動作指示部２１２で構成される。
通信線インタフェース３２０は、ＤＣＮ１０３を介してＯＳＳ１０４と接続する。通信線インタフェース３２０は、ＯＳＳ１０４からの波長パスの開通指示およびパス情報を、同一筐体内の各ＯＸＣラインカード４００へと送信するときに利用される。
【００２９】
ＯＸＣラインカード４００は、図２で説明した光カプラ４１０や、図５で説明したＷＳＳ４２０に加え、さらに、ＯＣＭ４３０、カード制御部４４０、および、デバイス制御部４５０を有する。
ＯＣＭ４３０は、回折格子や波長可変フィルタなどの波長分離デバイスおよびフォトダイオードなどの受光デバイスを用いることで、波長チャネルごとの光レベル（P_mon1）をモニタする。測定値P_mon1は、性能監視、警報生成などに用いられている。なお、ＯＣＭ４３０の配置位置を変えることによって、様々な光レベル（例えば、P_mon1、P_mon2、P_in_rx、P_in_wss）を測定してもよい。
【００３０】
カード制御部４４０は、通信線インタフェース３２０と、カード構成管理情報格納部４４１と、光レベル情報格納部４４２と、光レベル情報送信部４４３と、ＷＳＳ光入力レベル情報処理部４４４と、ＷＳＳ光入力レベル情報格納部４４５とから構成される。
通信線インタフェース３２０は、ノード監視制御部２００内のカード間通信線３１０との間で装置内ファイバを接続するためのインタフェースである。なお、カード間通信線３１０は、ノード監視制御部２００内の通信線インタフェース３２０に接続される。
【００３１】
カード構成管理情報格納部４４１は、自身のＯＸＣラインカード４００の方路ＩＤや、各損失値（IL（coupler）、IL（fixed）、IL（ALC））などの自身のＯＸＣラインカード４００に関する情報を格納する。
光レベル情報格納部４４２は、図８（ａ）にて詳細を説明する。
光レベル情報送信部４４３は、光レベル情報格納部４４２の情報を下流側のＯＸＣラインカード４００へと送信する。
ＷＳＳ光入力レベル情報処理部４４４は、上流側のＯＸＣラインカード４００から受信した光レベル情報格納部４４２をもとに、ＷＳＳ光入力レベル情報格納部４４５を作成する。
ＷＳＳ光入力レベル情報格納部４４５は、図９（ｂ）にて詳細を説明する。
【００３２】
デバイス制御部４５０は、パス開通処理制御部４５１と、スイッチ駆動部４５２と、ＶＯＡ駆動部４５３と、ＡＬＣ損失量算出部４５４とから構成される。
パス開通処理制御部４５１は、通信線インタフェース３２０を介して受信したパス開通動作指示とパス情報とをもとに、スイッチ駆動部４５２に対し、ＷＳＳ４２０のスイッチ接続先方路設定の更新を指示し、ＡＬＣ損失量算出部４５４に対してはＡＬＣ制御によるＶＯＡ損失量の算出処理開始を指示する。
そして、パス開通処理制御部４５１は、スイッチ駆動部４５２を介して光スイッチ部４２６のデバイス動作開始を指示するとともに、ＶＯＡ駆動部４５３を介して信号レベル調節部４２７のデバイス動作開始を指示する。
さらに、パス開通処理制御部４５１は、これらのデバイス動作開始の完了通知を、両デバイスから受信すると、ノード監視制御部２００を介して、波長パス開通動作の完了をＯＳＳ１０４へ通知して、波長パス開通の処理を完了する。
【００３３】
スイッチ駆動部４５２は、パス開通処理制御部４５１から通知されたスイッチ接続先方路設定をもとに、光スイッチ部４２６の動作を制御する。
ＶＯＡ駆動部４５３は、ＡＬＣ損失量算出部４５４から通知された損失量を元に、信号レベル調節部４２７の動作を制御する。
ＡＬＣ損失量算出部４５４は、計算式「IL（ALC）＝P_in_wss−ALC_target」により、ＡＬＣ損失量であるIL（ALC）を計算する。なお、ＡＬＣ損失量算出部４５４は、P_in_wssが図４（ａ）の受信可能レベルなどの所定閾値を超過するまでは、IL（ALC）を計算する代わりに、IL（fixed）を用いてもよい。そして、ＡＬＣ損失量算出部４５４は、計算したIL（ALC）や、取得したIL（fixed）をＶＯＡ駆動部４５３に通知する。
【００３４】
図７は、分散形態において、上流側の測定値を用いた信号レベル調整処理を示すフローチャートである。以下、図７の処理を実行する過程で更新される図８，図９の各データ内容を参照しつつ、図７の処理を説明する。
【００３５】
Ｓ２０１において、光レベル情報送信部４４３は、新たな波長パス開通指示を通信線インタフェース３２０から受信したときには、その波長パス開通指示で指定されるパス情報、および、転送先方路ＩＤを光レベル情報格納部４４２内に反映（更新）する。
【００３６】
図８（ａ）は、光レベル情報格納部４４２を示す。光レベル情報格納部４４２には、パス情報と、光レベルP_in_rxと、転送先方路ＩＤとが対応付けられている。
パス情報は、パス開通を実施する際にＯＳＳからノードに対して送出されるもので、全方路で同じ情報である。パス情報は、波長パス「ＩＤ」と、チャネル番号「ｃｈ」と、受信方路を示す方路ＩＤ「Ｒｘ」と、送信方路を示す方路ＩＤ「Ｔｘ」とから構成される。
【００３７】
パス情報は、スイッチ駆動部４５２が光スイッチ部４２６のスイッチ切替動作を実行するときに参照される。例えば、スイッチ駆動部４５２は、パスＩＤ「＃ａ」のパスについて、以下の送信経路になるように光スイッチ部４２６を設定する。
方路Ａのファイバ伝送路１００→ＯＸＣラインカード４００→光カプラ４１０→装置内配線３３０→方路Ｄ上のＯＸＣラインカード４００→方路Ｄのファイバ伝送路１００
【００３８】
図７に戻り、Ｓ２０２において、ＯＣＭ４３０は、入力された信号の波長チャネルごと光レベル（P_mon1）を計測する。
Ｓ２０３において、光レベル情報送信部４４３は、「P_in_rx＝P_mon1−IL（coupler）」によりP_in_rxを求め、Ｓ２０１で新たな新たな波長パス開通指示に該当する光レベル情報格納部４４２内のP_in_rxへと反映する。なお、IL（coupler）は、カード構成管理情報格納部４４１内にあらかじめ設定されている。
ここで、４つのＯＸＣラインカード４００それぞれにＳ２０１の新たな波長パス開通指示が通知されるが、受信方路を示す方路ＩＤ「Ｒｘ」が他のＯＸＣラインカード４００であるときには、その波長パスを受信しない（換言すると、P_mon1を計測できない）ので、そのときはＳ２０２，Ｓ２０３を省略してもよい。
【００３９】
Ｓ２０４において、光レベル情報送信部４４３は、Ｓ２０１〜Ｓ２０３で更新される光レベル情報格納部４４２の各情報（「P_in_rx」を含む）を、他のＯＸＣラインカード４００へと通知する。なお、他のＯＸＣラインカード４００とは、自身と同じ筐体内の全てのＯＸＣラインカード４００としてもよいし、光レベル情報格納部４４２のレコードごとに、そのレコード内のＴｘが示すＯＸＣラインカード４００（＝下流側のＯＸＣラインカード４００）だけに送信してもよい。
このＳ２０４の送信処理は、送信内容の更新時だけに行ってもよいし、送信内容の更新有無にかかわらず、所定契機（例えば１分ごと）に行ってもよい。
【００４０】
図８（ｂ）で示すように、下流側のＯＸＣラインカード４００は、他の上流側ＯＸＣラインカード４００からそれぞれ通知される光レベル情報格納部４４２のレコードを集約する。図８（ｂ）の「送信元方路」は、図８（ａ）の「Ｒｘ」であり、その他の表の情報は、図８（ａ）と図８（ｂ）とで同じ情報が同じ名前である。
【００４１】
以下、下流側のＯＸＣラインカード４００内のＷＳＳ光入力レベル情報処理部４４４の処理内容を、Ｓ２１１〜Ｓ２１３で説明する。
Ｓ２１１において、ＷＳＳ光入力レベル情報処理部４４４は、通知された図８（ｂ）の光レベル情報格納部４４２内の「P_in_rx」から、自身が処理する「P_in_wss」を選択する。自身が処理するとは、通知されたパス情報内のＴｘが自身を示すレコードである。
【００４２】
図９（ａ）は、図８（ｂ）と同じ光レベル情報格納部４４２であり、図９（ｂ）は、図９（ａ）の光レベル情報格納部４４２から、Ｓ２１１の処理によってそれぞれの方路のＯＸＣラインカード４００によって選択されたＷＳＳ光入力レベル情報格納部４４５のレコードを示す。
図９（ｂ）に示すＷＳＳ光入力レベル情報格納部４４５は、自身が下流側として処理するパス情報（ｃｈ，パスＩＤ）ごとに、そのパスの光レベルP_in_wssを示すテーブルである。
【００４３】
例えば、方路ＤのＷＳＳ光入力レベル情報処理部４４４は、光レベル情報格納部４４２内の転送先方路ＩＤが自身と一致する光レベル情報格納部４４２内の１行目のレコードの「ｃｈ」、「パスＩＤ」、光レベル「P_in_rx＝P_in_wss」が、順に抽出されてＷＳＳ光入力レベル情報格納部４４５の１行目のレコードへと抽出されている。
一方、方路Ａ〜ＣのＷＳＳ光入力レベル情報処理部４４４は、光レベル情報格納部４４２内の転送先方路ＩＤが自身と一致しないので、光レベル情報格納部４４２の１行目のレコードを、自身のＷＳＳ光入力レベル情報格納部４４５には書き込まない。
【００４４】
図７に戻り、Ｓ２１２において、ＡＬＣ損失量算出部４５４は、Ｓ２１１で更新される各ＷＳＳ光入力レベル情報格納部４４５内のP_in_wssについて、計算式「IL（ALC）＝P_in_wss−ALC_target」により、ＡＬＣ損失量であるIL（ALC）を計算する。
このIL（ALC）とは、現状のP_in_wssを目標のALC_targetへ近づけるための光レベルの補正量である。P_in_wssがALC_targetより小さいときには、増幅補正量となり、P_in_wssがALC_targetより大きいときには、減衰補正量となる。
【００４５】
Ｓ２１３において、ＶＯＡ駆動部４５３は、Ｓ２１２の計算結果であるIL（ALC）を、信号レベル調節部４２７に設定することで、現状のP_in_wssを目標のALC_targetへ近づけるためのＡＬＣ制御を実行する。
【００４６】
図１０は、集約形態の光伝送システムを示す構成図である。図６で示した分散形態との違いに着目して、図１０を説明する。
図１０のノード監視制御部２００は、各ＯＸＣラインカード４００間でやりとりする光レベル情報（P_in_rx）を中継するために、図６のノード監視制御部２００の構成に加えて、ＣＰＵ２１０内の光レベル情報集約機能部２１３と光レベル情報送信部２１４とが追加され、かつ、ノード構成管理情報格納部２２１と、光レベル情報格納部２２２と、光レベル情報集約格納部２２３とを格納する情報格納部２２０が追加されている。
【００４７】
光レベル情報集約機能部２１３は、各ＯＸＣラインカード４００から光レベル情報格納部４４２の情報（特に、光レベル値P_in_rx）を受信して、光レベル情報格納部２２２へと格納し、かつ、光レベル情報格納部２２２から光レベル情報集約格納部２２３を生成する（図１２（ａ）参照）。
光レベル情報送信部２１４は、光レベル情報集約格納部２２３を方路ごとのレコードに分割した情報を、各方路のＯＸＣラインカード４００に対して、P_in_wssとして送信する（図１２（ｂ）参照）。
ノード構成管理情報格納部２２１は、各ＯＸＣラインカード４００内のカード構成管理情報格納部４４１に該当する情報を、１つに集約したものを格納する。
なお、図１０の各ＯＸＣラインカード４００には、図６と異なり、ＷＳＳ光入力レベル情報処理部４４４が省略されている。光レベル情報送信部２１４は、ＷＳＳ光入力レベル情報処理部４４４の処理をＯＸＣラインカード４００から代行する。
【００４８】
図１１は、集約形態において、上流側の測定値を用いた信号レベル調整処理を示すフローチャートである。以下、図７で示した分散形態との違いに着目して、図１１の各処理を説明する。
【００４９】
まず、Ｓ２０１の波長パス開通指示で指定されるパス情報の更新処理について、図７では、上流側の各ＯＸＣラインカード４００が自身で保持する光レベル情報格納部４４２を更新していたのに対し、図１１では、Ｓ２２１においてノード監視制御部２００が光レベル情報格納部２２２を更新する。Ｓ２２１の処理の後、Ｓ２０２の処理が起動する。
Ｓ２０２，Ｓ２０３のP_in_rxを求める処理は、図７と図１１とで共通する。
Ｓ２０４ｂにおいて、図７のＳ２０４と異なり、Ｓ２０３で求めたP_in_rxを、ノード監視制御部２００へと通知する。光レベル情報集約機能部２１３は、通知された各ＯＸＣラインカード４００内のカード構成管理情報格納部４４１に該当する情報を、１つの光レベル情報格納部２２２に集約する。
【００５０】
さらに、図１２（ａ）に示すように、光レベル情報集約機能部２１３は、光レベル情報格納部２２２から光レベル情報集約格納部２２３を生成する。以下がその生成処理である。光レベル情報格納部２２２の選択した行を、以下で「選択行」とする。
（手順１）光レベル情報格納部２２２のパス情報内の選択行の「ｃｈ」を読み込み、光レベル情報集約格納部２２３の第１列から該当する「ｃｈ」の行を特定する。
（手順２）光レベル情報格納部２２２の選択行の転送先方路ＩＤを読み込み、光レベル情報集約格納部２２３の第２列以降の該当する方路の列を特定する。
（手順３）光レベル情報格納部２２２の選択行の「光レベルP_in_rx」を書き込み、（手順１）の特定した行と、（手順２）の特定した列との交差位置のセルに書き込む。
【００５１】
Ｓ２２２において、光レベル情報集約機能部２１３は、通知された「P_in_rx」から各ラインカードが処理する「P_in_wss」を選択する。ここでの選択とは、図７のＳ２１１と異なり、自身が処理する「P_in_wss」か否かを取捨選択するのではなく、通知された各「P_in_wss」について、図１２（ｂ）に示すように、方路ごとの光レベル情報集約格納部２２３へと振り分ける処理である。
つまり、図１２（ａ）の光レベル情報集約格納部２２３は、方路ごとの列が含まれる１つのテーブルであるが、このテーブルを列ごとに分離したテーブルが図１２（ｂ）の光レベル情報集約格納部２２３である。
【００５２】
Ｓ２２３において、光レベル情報送信部２１４は、図１２（ｂ）の光レベル情報集約格納部２２３を、各下流側のＯＸＣラインカード４００に通知する。例えば、光レベル情報送信部２１４は、第１レコードの光レベルP_in_wssが「A_01」である方路Ｄの光レベル情報集約格納部２２３を、方路ＤのＯＸＣラインカード４００に通知する。
以下、Ｓ２１２，Ｓ２１３の処理は、図７と同じ処理である。
【００５３】
以上説明した集約形態では、分散形態において各ＯＸＣラインカード４００で行われる処理の一部をノード監視制御部２００が代行することにより、各ＯＸＣラインカード４００の処理負荷が軽減するとともに、ＯＸＣラインカード４００間通信トラヒック量の削減が図れ、カード間通信線や同インタフェースの簡略化など、装置全体のコスト削減に寄与する。
以上説明した本実施形態により、ＷＳＳ４２０の後段での測定値P_mon2の代わりに、ＷＳＳ４２０の前段での測定値P_mon1を用いてＡＬＣ制御を実行する。
これにより、図４で示すような問題が発生する要因となるＷＳＳ４２０よりも前に測定値P_mon1を取得することで、各方路のＯＸＣラインカード４００への外部装置（ファイバ伝送路１００）からの信号光の光レベルが過剰に高かったり、各方路間での光レベル偏差が大きかったりする状況下でも、高精度に測定値P_mon1を取得でき、かつ、その測定値P_mon1をもとに、高精度にIL（ALC）を計算できる。
【００５４】
よって、レベル偏差という困難な環境下においても、ＯＣＭ４３０が測定する信号レベルの精度を保つことで、ＡＬＣ制御が実行不可になるのを防止することができ、レベル偏差縮小のための光信号入力レベル制限や光学部品選別が不要となる。
また、波長パス開通時は光スイッチ部４２６のスイッチ切替動作と、信号レベル調節部４２７のＶＯＡ制御動作とを同時に実行することができ、合計制御時間の削減にも寄与する。
【００５５】
なお、本発明は前記した実施例に限定されるものではなく、様々な変形例が含まれる。例えば、前記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。
また、前記の各構成、機能などは、プロセッサがそれぞれの機能を実現するプログラムを解釈し、実行することによりソフトウェアで実現してもよい。
【００５６】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤなどの記録媒体に置くことができる。
また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【００５７】
１００  ファイバ伝送路
１０１  ＲＯＡＤＭ装置
１０２  ４方路ＯＸＣ装置
１０３  ＤＣＮ
１０４  ＯＳＳ
２００  ノード監視制御部
２１０  ＣＰＵ
２１１  ＯＳＳ通信部
２１２  カード個別動作指示部
２１３  光レベル情報集約機能部
２１４  光レベル情報送信部
２２０  情報格納部
２２１  ノード構成管理情報格納部
２２２  光レベル情報格納部
２２３  光レベル情報集約格納部
３１０  カード間通信線
３２０  通信線インタフェース
３３０  装置内配線
４００  ＯＸＣラインカード
４１０  光カプラ
４２０  ＷＳＳ
４２５  波長分離部
４２６  光スイッチ部
４２７  信号レベル調節部
４２８  波長多重部
４３０  ＯＣＭ
４４０  カード制御部
４４１  カード構成管理情報格納部
４４２  光レベル情報格納部
４４３  光レベル情報送信部
４４４  ＷＳＳ光入力レベル情報処理部
４４５  ＷＳＳ光入力レベル情報格納部
４５０  デバイス制御部
４５１  パス開通処理制御部
４５２  スイッチ駆動部
４５３  ＶＯＡ駆動部
４５４  ＡＬＣ損失量算出部
【図１】
2014007564.tif 000003
【図２】
2014007564.tif 000004
【図３】
2014007564.tif 000005
【図４】
2014007564.tif 000006
【図５】
2014007564.tif 000007
【図６】
2014007564.tif 000008
【図７】
2014007564.tif 000009
【図８】
2014007564.tif 000010
【図９】
2014007564.tif 000011
【図１０】
2014007564.tif 000012
【図１１】
2014007564.tif 000013
【図１２】
2014007564.tif 000014